(57)【要約】【課題】操作性と開閉動作が容易な電気洗濯機を提供する。【解決手段】主筐体２０の上面に配置される衣類投入口６０と、この衣類投入口６０の上部を覆う開閉蓋１００を備え、前記衣類投入口６０は、その両側に支持レール６１を備え、前記開閉蓋１００は、前部開閉蓋１１０と後部開閉蓋１２０とから構成され、後部開閉蓋１２０の一端は、前記前部開閉蓋１１０の一端と第１の連結部１５０を介して２つ折れ可能に取り付けられ、後部開閉蓋１２０の他端は前記衣類投入口６０の後部に第２の連結部１６０を介して開閉可能に取り付けられ、前記前部開閉蓋１１０の他端は、その両側部を前記支持レール６１に摺動可能に支持され、前記前部開閉蓋１１０に操作パネル２００を設けるようにする。【選択図】図１
2005192887.tif 000002
【特許請求の範囲】
【請求項１】
筐体上面に配置される衣類投入口と、この衣類投入口の上部を覆う開閉蓋を備え、
前記衣類投入口は、その両側に支持レールを備え、
前記開閉蓋は、前部開閉蓋と後部開閉蓋とから構成され、
後部開閉蓋の一端は、前記前部開閉蓋の一端と第１の連結部を介して２つ折れ可能に取り付けられ、後部開閉蓋の他端は前記衣類投入口の後部に第２の連結部を介して開閉可能に取り付けられ、
前記前部開閉蓋の他端は、その両側部を前記支持レールに摺動可能に支持され、
前記前部開閉蓋に操作パネルを設けた
ことを特徴とする電気洗濯機。
【請求項２】
前記支持レールの最前部は、前記第１の連結部より低い位置にあることを特徴とする請求項１記載の電気洗濯機。
【請求項３】
前記開閉蓋の前端は下方に湾曲して形成されることを特徴とする請求項１または２に記載の電気洗濯機。
【請求項４】
前記前部開閉蓋は、取手部を備え、前記取手部は前記前部開閉蓋の前端と前記第2の連結部とを結ぶ仮想線より上方位置に配置されることを特徴とする請求項１乃至３のいずれかに記載の電気洗濯機。
【請求項５】
前記操作パネルの後方に前記操作パネルに連続する取手部を備え、前記取手部は前記前部開閉蓋の後端近傍に位置することを特徴とする請求項１乃至４のいずれかに記載の電気洗濯機。
【請求項６】
前記開閉蓋は中空構造であることを特徴とする生吸光１乃至５のいずれかに記載の電気洗濯機。
【発明の詳細な説明】
【技術分野】
【０００１】
本発明は、筐体上面に衣類投入口を備え、この衣類投入口を覆う開閉蓋に操作スイッチや運転状態表示部を備えた電気洗濯機あるいは乾燥機能を備えた電気洗濯機に関するものである。
【背景技術】
【０００２】
従来の電気洗濯機は、筐体内部に上面を開放する回転槽を備え、この回転槽に衣類を投入する衣類投入口を筐体上面に設けている。この衣類投入口には開閉可能な開閉蓋が設けられている。また、これらの電気洗濯機は、この電気洗濯機を操作するための操作スイッチや運転状態表示部を、前記開閉蓋の近傍または開閉蓋に設けている。
例えば、特開平０５−１６８７９４号の従来例は、前後に２分割される開閉蓋を２つ折れ可能に設け、この開閉蓋の前部開閉蓋に操作パネルを設けている。
【特許文献１】特開平０５−１６８７９４号公報
【発明の開示】
【発明が解決しようとする課題】
【０００３】
前記従来例によれば、広い開閉蓋の平面を利用して操作パネルを配置することができる。しかし、この従来例では、操作基板を備えた開閉蓋を利用者が保持して開閉動作を行わせなければならない。したがって、この従来例によれば、常に重い開閉蓋を保持しながら開閉動作を行わなければならない。
また、この従来例では、操作を行う際には開閉蓋を閉めた状態で行うことを前提としているため、電源ボタンを投入口の後方に設けている。このため、開閉蓋での操作ができない。
本発明の目的は、操作性と開閉動作が容易な電気洗濯機を提供することにある。
【課題を解決するための手段】
【０００４】
本発明では、前記目的を達成するために、筐体上面に配置される衣類投入口と、この衣類投入口の上部を覆う開閉蓋を備え、
前記衣類投入口は、その両側に支持レールを備え、
前記開閉蓋は、前部開閉蓋と後部開閉蓋とから構成され、
後部開閉蓋の一端は、前記前部開閉蓋の一端と第１の連結部を介して２つ折れ可能に取り付けられ、後部開閉蓋の他端は前記衣類投入口の後部に第２の連結部を介して開閉可能に取り付けられ、
前記前部開閉蓋の他端は、その両側部を前記支持レールに摺動可能に支持され、
前記前部開閉蓋に操作パネルを設けるようにする。
【発明の効果】
【０００５】
本発明によれば、開閉蓋に設けた操作パネルの操作性を向上させるとともに、この開閉蓋の開閉動作を容易にすることができる。
【発明を実施するための最良の形態】
【０００６】
以下、図１から図２６を参照して、本発明に係る電気洗濯機または衣類乾燥機能を備えた電気洗濯機を詳細に説明する。なお、同一または同様な部位、あるいは矢印などは同一符号を以って示し、重複した説明を省略する。また同様に、外観図において、同一形状また対称の図面がある場合は、変更部分の図面のみを図示し、重複した図面を省略する。図１から図９は第１の実施の形態を示し、図１０から図２６は他の実施の形態を示している。
【０００７】
（第１の実施の形態）
先ず、図１から図９を参照して、第１の実施の形態に係る衣類乾燥機能を備えた電気洗濯機を詳細に説明する。図１は、衣類乾燥洗濯機の外観斜視図、図２は概略構造を示す縦断面図、図３，図４は外観図、図５は開閉蓋の部品展開図、図６から図８は開閉蓋の動作説明図、図９は操作パネルの拡大図である。
【０００８】
先ず、図１、図２を参照して、この実施の形態の概略構造を説明する。図１において、符号１で示す衣類乾燥洗濯機は、上部を開放した洗濯槽１０を備えた主筐体２０と、この主筐体２０の上面に形成される衣類投入口６０を覆う開閉蓋１００とから構成される。前記主筐体２０は、この主筐体２０の上部を構成する上カバー３０と、この主筐体２０の下部を構成する下カバー４０と、前記上カバー３０と下カバー４０との間を形成する中間筐体５０とから構成される。
【０００９】
図２に示すように、前記主筐体２０の内部には、上部が開放した前記洗濯槽１０が複数のつり棒１５を介して取り付けられる。この洗濯槽１０内には回転槽１１とパルセータ１２が前記洗濯槽１０の下部に設けた駆動モータ１３を介して同軸で回転可能に取り付けられる。
前記回転槽１１は上部が開放し、この開放部が前記衣類投入口６０と連続するように形成されているため、前記衣類投入口６０から前記回転槽１１に衣類を出し入れすることができる。この実施の形態では、前記洗濯槽１０の背面側に乾燥ユニット１４を備えることで、前記回転槽１１に投入された衣類の洗濯と脱水と温風による衣類の乾燥を行うことができる。
【００１０】
図１に戻り、この実施の形態の特徴の１つは、前記開閉蓋１００に大きな操作パネル２００を設けた点にある。この実施の形態では、前記開閉蓋１００を、前記衣類投入口６０の前部を覆う前部開閉蓋１１０と、前記衣類投入口６０の後部を覆う後部開閉蓋１２０とで構成し、この２つの部材を第１の連結部１５０を介して折りたたみ可能に設けるとともに、前部開閉蓋１１０に前記操作パネル２００を設けている。この構成により、広い開閉蓋１００を利用して操作性が良好な大きな操作スイッチ類を配置することができる。しかも、操作スイッチ類を配置するスペースをこの衣類投入口６０の周囲に形成する必要がないからこの衣類投入口６０を筐体の上面に大きく形成することができる。
そして、更なる特徴の１つは、前記衣類投入口６０の両側に設けた支持レール６１を利用して、前記操作パネル２００の基板１１４などにより重量が増した前部開閉蓋１１０の前端部（自由端）Ｑ１を支持することができる。一方、後部開閉蓋１２０は、その後端部Ｑ２を第２の連結部１６０で前記衣類投入口６０の後部に回転可能に取り付けられる。そして、この実施の形態では、前記第１の連結部１５０に隣接して取手部１３０を設けている。
【００１１】
これにより、利用者は、前記取手部１３０を介して、前記第１の連結部１５０を上方に引きあげる動作により前記開閉蓋１００を開放することができるとともに、この開閉蓋１００の重量は前記後端部Ｑ２の前記第２の連結部１６０と前記自由端Ｑ１に分散されて支持されるので、利用者に開閉にともなう無用な負荷を軽減することができる。しかも、この実施の形態では、前記操作パネル２００と分離独立させた電源スイッチ２５０を前記筐体の前部に設けることにより、前記開閉蓋１００を開いた状態でも各種の操作を行うことができる。
このように、この実施の形態によれば、操作性と開閉蓋の開閉が容易な衣類乾燥洗濯機１が提供される。
【００１２】
以下、図２から図９を参照して、前記特徴をさらに説明する。先ず、図２は、衣類乾燥洗濯機の概略縦断面図である。図２において、洗濯槽１０は中間筐体５０の四隅に取り付けた図示しない強度部材に前記つり棒１５を介して支持される。この洗濯槽１０は上部が開放しており、その開放部に第2の開閉蓋１６が後方のヒンジを介して開閉可能に設けられる。これは、乾燥時に洗濯槽１０内を密封した空間にするものである。この洗濯槽１０の後方に設けられる前記乾燥ユニット１４は、洗濯槽１０の下部から槽内の空気を取り込んで、ユニット内で除湿された温風を生成し、洗濯槽１０の上方より、再び温風を槽内に投入する。
前記回転槽１１は、周囲に複数の開口部を備えて、衣類の脱水及び洗濯／乾燥時にパルセータ１２とともに連動した回転を行わせることで多様な動作で衣類に最適な洗濯と乾燥を行うことができる。
【００１３】
この実施の形態では、衣類乾燥機能を備えた電気洗濯機の事例で説明しているが、前記乾燥ユニット１４や第2の開閉蓋１６を取り外して極一般的な電気洗濯機とすることもできる。
前記上カバー３０は、後方に図示しない給水装置や電磁弁あるいは給水ポンプなどを収納する給水装置配置空間１７を備えている。そして、その前部に、前記洗濯槽１０に連続するすり鉢状の開口部６２が形成される衣類投入口６０が形成されている。この衣類投入口６０は、主筐体２０の上面より一段低く形成され、その上部全体を、前記開閉蓋１００で覆うことができる。
【００１４】
次に、図３、図４を参照して、外観構造を説明する。図３は、この実施の形態に係る衣類乾燥洗濯機の外観図であり、（ａ）図は平面図、（ｂ）図は底面図、（ｃ）図は正面図、（ｄ）図は右側面図、（ｅ）図は左側面図、（ｆ）図は背面図を示している。また、図４は、開閉蓋を開放した状態の外観図であり、（ａ）図が平面図、（ｂ）図が上カバー部分の断面図、（ｃ）図が正面図、（ｄ）図が右側面図である。
【００１５】
図３、図４において、この実施の形態では、前記上カバー３０を、この上カバー３０の骨格を成すＰＰ樹脂材料で形成されるベースカバー３１と、このベースカバー３１の上部に取り付けられるＡＢＳ樹脂材料で形成される一対のサイド上カバー３２と後方のバック上カバー３３とで構成している。この実施の形態では、前記開閉蓋１００をＡＢＳ樹脂材料で形成しているので、この開閉蓋１００を開放した状態で見える衣類投入口６０の周辺部（両側と後方）を複数の部品からなる意匠性が良好なＡＢＳ樹脂材料とすることができるので、各部品ごとに色彩を変えるなどの実施におけるシリーズ展開が良好となる構造としている。
【００１６】
また、この実施の形態では、バック上カバー３３の上面前部を略水平面とし、後部を前記水平面より一段低い平面としている。これにより、衣類投入口６０に近接した位置を水平面とすることで水道蛇口取付部３４と風呂水給水取付部３５を備えた給水取付面３６とし、他の部分（後方）を一段低くすることでコンパクト感を向上させている。
また、前記開閉蓋１００とこれを挟むサイド上パネル３２は、前方に傾斜して形成される。これにより、使用者に近接した衣類投入口６０の前部を低くくすることで衣類の出し入れの向上を図り、筐体後部においては、温風ユニットや給水ユニットの配置スペースを確保している。そして、この傾斜面に大きな操作パネル２００を配置することで、立ち姿勢の使用者の指による操作性を向上させている。
【００１７】
さらに、この実施の形態では、前記開閉蓋１００を閉じた状態でも開いた状態でも操作可能なように、前記操作パネル２００を前部開閉蓋１１０に設けている。この実施の形態では、２つ折れの開閉蓋を採用しているので、前部開閉蓋１１０に操作パネル２００を設けることで、図３に示す開閉蓋１００を閉めた状態においては、使用者側に近い傾斜面に前記操作パネル２００を位置させることができるし、図４に示す開閉蓋１００を開けた状態では、使用者側に傾斜して起立する傾斜面に前記操作パネル２００を位置させることができる。
【００１８】
一方、この２つ折れ開閉蓋の場合、前記開閉蓋１００の開閉をスムーズに行わせることも重要な要素である。この実施の形態では、前記開閉動作を良好にするために、前記第1の連結部１５０の近傍を保持するように、前記前部開閉蓋１１０の後方中央部分に前記取手部１３０を設けている。この前記取手部１３０は、凹状に形成され、その凹部の手前側を指で引っ掛ける手掛部１３１を設けている。
【００１９】
そして、この実施の形態では、前記取手部１３０の手前に連続して、前記操作パネル２００を設けることで、前記開閉蓋１００の開閉動作と操作パネル２００の操作性や視認性を向上させることができる。即ち、操作パネル２００をこの開閉蓋１００に設けると、設けないものに比べて操作基板などの重量がどうしても多くなる。しかし、この実施の形態では、第１の連結部１５０の近傍を保持する構造としているので、使用者への負担を軽減することができる。さらに、この実施の形態では、操作パネル２００を前記取手部１３０の手前側に設けることができるので、前記開閉蓋１００を閉めた状態では利用者に近接させ、開いた状態では、閉めた状態の位置と大きく変化させることなく操作パネル２００を位置させることができるので、２つの状態での操作感を大きく変化させることを軽減できる。しかも、取手部１３０と操作パネル２００を１つの塊として形成することができるので意匠性をも良好とすることができる。
【００２０】
また、この実施の形態では、装置全体をコンパクトにするために、主筐体２０の手前側上部を大きな丸み形状としている。しかも、この丸み形状に合わせて、前記開閉蓋１００の前端部（自由端）Ｑ１を前垂れ形状としている。これにより、開閉蓋１００を閉めた状態では前記開閉蓋１００が垂直面で形成される前記中間筐体５０の前パネル５１に大きな丸みで連続するコンパクトで柔らかな形態で形成されている。
一方、図４に示す開閉蓋１００を開いた状態では、サイド上カバー３２より一段低い前記衣類投入口６０が前方に抜けて形成されるので、衣類投入口６０の前部を低くすることができるから衣類の出し入れを向上させることができる。
さらにまた、前記開閉蓋１００の前端部（自由端）Ｑ１を屈曲して形成することにより、開閉動作や、鉢状の開口部６２の大型化、さらには開閉蓋１００を開いた状態での操作パネル２００の操作性を向上させることができる。この詳細については、図６から図８において詳細に説明する。
【００２１】
また、この実施の形態では、電源スイッチ２５０と開閉蓋ロックスイッチ２５１を前記操作パネル２００と分離して設けている。この実施の形態では、前記開閉蓋１００の前端部（自由端）Ｑ１と前記中間筐体５０との間に凹状の溝２５２を形成し、この凹状の溝２５２の片側に前記２つのスイッチを配置している。
この実施の形態では、前記操作パネル２００をシートスイッチで形成しているので、確かな操作が必要な電源スイッチには不向きである。また、堅牢な電源スイッチを堅牢な配線を伴って開閉蓋１００に設けると重量がかさむことになる。
【００２２】
また、乾燥機能付の電気洗濯機は、脱水時や乾燥時の温度上昇から使用者を保護するため、開閉蓋１００のロックスイッチが必要である。このロックスイッチは誤動作防止の観点から誤操作を起こし難い場所に配置することが有効である。
そこで、この実施の形態では、前記電源スイッチ２５０と開閉蓋ロックスイッチ２５１とを凹状の溝２５２に設けることで、前記課題を解決している。この凹状の溝２５２は、開閉蓋１００を閉めた状態では、その上部が前端部（自由端）Ｑ１で覆われているので、誤操作が起こり難い場所である。また、開閉蓋１００を開放した状態では、その上部が開放されるので、清掃性や操作性に支障をきたさない。
【００２３】
さて、この実施の形態では、前記丸みのあるコンパクトな形態を意匠的にも表現するために、側面図から明らかなように、前記中間筐体５０の側板を上方まで拡張し、側面から見て上カバー３０を薄い板状に形成している。そして、この薄い板状は、前記中間筐体５０の前面を覆う薄い板状の前パネル５１に連続するように形成している。この造形により、コンパクト感をいっそう向上させることができる。しかも、前記前パネル５１を薄い板状とすることを利用してメンテナンス用に着脱可能な構造とすることもできる。
なお、この実施の形態では、前記中間筐体５０を薄い鋼板で形成し、補強のために、側面には凹凸模様５２を施している。また、前記下カバー４０はＰＰ樹脂材料で形成され、高さ調整脚４１を設けている。
また、図４（ａ）図に示すように、衣類投入口６０は、前記鉢状の開口部６２の前部に洗剤投入口６３や柔軟材投入口６４が設けられている。
【００２４】
次に、図５から図８を参照して、この実施の形態の特徴の１つである操作パネル２００を備えた開閉蓋１００をさらに説明する。
先ず、開閉蓋１００の部品構成を示す図２を参照して開閉蓋１００の部品構成を説明する。この実施の形態は、樹脂材料で形成される前記開閉蓋１００を前部開閉蓋１１０と後部開閉蓋１２０とから構成する。前記後部開閉蓋１２０は、上部を覆う後部上カバー１２１と、下部を覆う後部下カバー１２２とから構成される。この後部上カバー１２１と後部下カバー１２２とは、組み合わされることで、その内部に薄い断熱空間を構成するように、両部材はネジなどで取り付けられる。
【００２５】
一方、前部開閉蓋１１０は、上部を覆う前部上カバー１１１と、下部を覆う前部下カバー１１２と、前記前部上カバー１１０に取り付けられる操作シート１１３と手掛部１３１と操作基板１１４などから構成される。前記前部上カバー１１１と前部下カバー１１２とは組み合わされることで、その内部に操作基板収納部を形成し、ネジなどで取り付けられる。前記前部下カバー１１２は、その内面に基板取付部が形成され、この基板取付部に操作基板１１４が取り付けられる。
【００２６】
また、前記前部上カバー１１１には、前記操作基板１１４を露出する位置に開口部１１５が形成され、この開口部１１５に前記操作シート１１３が取り付けられる。また、前記前部上カバー１１１は、前記開口部１１５と第１の連結部１５０との間に、開口部１１５側に向かって深くなる手掛凹部１１６が形成される。前記取手部１３０は、この手掛凹部１１６と、この手掛凹部１１６の前部に取り付けられる前記手掛部１３１とで構成される。
この開閉蓋１００は、前部開閉蓋１１０と後部開閉蓋１２０とを閉めた状態では、その上面がフラットとなり、開いた状態では、前記第１の連結部１５０が上方に立ちあがって２つ折れとなるように衣類投入口６０を開放する。
【００２７】
この実施の形態では、前記開閉構造を得るために、前記後部開閉蓋１２０と前部開閉蓋１１０の一端を第１の連結部１５０で回転可能に取り付ける。この実施の形態では、前記第１の連結部１５０を、筒状の回転軸部材１５１と、前部開閉蓋１１０の一端の中央位置に設けられる第１回転軸支持部１５２と、前記後部開閉蓋１２０の一端の両側の位置に形成される一対の第２回転軸支持部１５３で構成する。前記第１、第２回転軸支持部は組み合わされた状態で連続した筒状の外観を備え、その内部に前記回転軸部材１５１を収納する回転軸収納部１５４が形成される。したがって、この回転軸収納部１５４に前記回転軸部材１５１を収納することで、前部開閉蓋１１０と後部開閉蓋１２０が回転可能に連結される。そして、この実施の形態では、前記回転軸収納部１５４を外周が開閉蓋１００の上面より低い位置で、かつ、開閉蓋１００の下側に張り出して形成している。これにより、前記開閉蓋１００を閉めた状態では、前記前部開閉蓋１１０と前記後部開閉蓋１２０の端部が近接して隙間が目立たないように形成され、開いた状態では、前記前部開閉蓋１１０と前記後部開閉蓋１２０が直立に近い形で折りたたまれる。
【００２８】
一方、前記後部開閉蓋１２０の後端部Ｑ２の両端部には、衣類投入口６０の後部両端部に設けた回転軸部１６１（図6参照）に取り付けられる軸受部１６２が設けられる。この回転軸部１６１と軸受部１６２とで前記第２の連結部１６０を構成する。他方、前記前部開閉蓋１１０の前端部（自由端）Ｑ１の両側には回転ローラ１７０が取り付けられ、この回転ローラ１７０が衣類投入口６０の両側に形成される支持レール６１により保持される。
【００２９】
この構造を、図６でさらに説明する。図６は、開閉蓋の取り付け構造の説明図であり、（ａ）図は支持レール部分の部分断面を示した平面図、（ｂ）図は前記支持レールの構造概念図である。
この実施の形態では、図６に示すように、前記開閉蓋１００を開いた状態では、前記直立姿勢の前記前部開閉蓋１１０と前記後部開閉蓋１２０が衣類投入口６０の後方に収納される。この実施の形態では、上面からみて矩形状の開閉蓋１１０を採用している。このため衣類投入口６０も矩形状となる。このため、衣類投入口６０の両側に形成される支持レール６１は平行となり、閉めた状態で支持レール６１の前端に位置する回転ローラ１７０を開閉蓋１００の開放に伴って支持レール６１に沿って後方に移動させることができる。
【００３０】
（ａ）図に示すように、この実施の形態では、一段低く形成した衣類投入口６０の両壁面に溝を形成するように前記支持レール６１を形成している。このため、前記一対の回転ローラ１７０は、前記一対の支持レール６１に保持され、外れない構造となっている。これは、回転ローラ１７０を備えた前端部（自由端）Ｑ１が前記支持レール６１から外れて持ち上げられたりすると、この持ち上げられた開閉蓋１００が高い位置から離されて衣類投入口６０に衝突する衝撃が大きくなる。この実施の形態では、開閉蓋１００に操作基板１１４を設けているので、この衝撃による損傷を防止するためには、堅牢な構造を取らなくてはならず、逆に堅牢な構造を図ることによる操作性や取扱性が悪くなる。
そこで、この実施の形態では、前記前端部（自由端）Ｑ１を前記支持レール６１から外れない構造とすることで、前記無用な対策を図ることなく、操作性や取扱性の向上を図っている。
【００３１】
また、（ｂ）図に示すように、この実施の形態では、前記支持レール６１の前端部分Ｐを湾曲した構造としている。つまり、前記支持レール６１は、前端部分Ｐは下方に大きくおじぎをするように湾曲して形成され、その後方は上方に行くにしたがって緩やかに立ち上がる直線状の傾斜面で形成される。したがって、（ｂ）図に示す、開閉蓋１００を開いた状態から、前記回転ローラ１７０を前方に移動させて開閉蓋１００を閉めていくと、閉まる寸前まで同じ角度で移動していた回転ローラ１７０が最終段階で急傾斜で下方に移動することとなる。
これにより、２つ折れ開閉蓋１００が隙間なく閉めることが期待できるから、第1の連結部１５０の近傍が、閉めた状態で浮き上がることを軽減できる。したがって、閉めた状態で、前記操作パネル２００を操作した際に生じる開閉蓋１００のガタツキを軽減できる。
【００３２】
一方、この実施の形態では、開閉蓋１００を開いた状態でもガタツキなく操作パネル２００を操作できるように、開閉蓋１００の開いた状態を保持するロック機構を備えることができる。例えば、この実施の形態では、開閉蓋１００を開いた状態で前記回転ローラ１７０と嵌合する凹部６５を前記支持レール６１の後方に形成している。このロック機構は前記凹部６５に限定されるものではない。
また、この実施の形態では、前記開閉蓋１００の前端部（自由端）Ｑ１を湾曲した形状としているので、前記回転ローラ１７０を開閉蓋１００の平面の延長線より下方に位置させることができる。これにより、開閉動作をスムーズに行うことができるとともに、開放した際の広い鉢状の開口部６２が得られ、しかも広い鉢状の開口部６２を得つつ開放時の操作パネル２００に適度な傾斜を得ることができる。これを図７から８でさらに説明する。
【００３３】
図７、図８は開放動作の工程を示す断面図、図９は他の構造との比較断面図である。
先ず、図７において、（ａ）図は開閉蓋１００を閉めた状態を示している。この状態から、使用者は第1の連結部１５０近傍の取手部１３０を介して解放動作を行うことができる。この際、前記回転ローラ１７０を取手部１３０が設けられる前記開閉蓋１００の平面の延長線Ｚ１より下方に位置させているために、前記回転ローラ１７０と前記第2の連結部１６０とを結ぶ仮想線Ｚ２より前記取手部１３０を上方位置におくことができるから、前記仮想線Ｚ２中に取手部１３０を設けるものより、取手部１３０を持ち上げやすくすることができる。特に、この実施例では、開閉蓋１００の上面を閉めた状態でフラットとするために、第1の連結部１５０を前記延長線Ｚ１より下方に位置させている。このため、開閉蓋１００を開く際には、前記延長線Ｚ１より下方に位置する第1の連結部１５０を上方に引き上げる開く動作の当初に大きな力を必要とする。この点、この実施の形態では、前記第1の連結部１５０を仮想線Ｚ２上または上方に位置させることができるので、開く動作を容易に行うことができる。さらに、前記支持レール６１は、最初は急傾斜となっているので、いっそう取手部１３０を持ち上げやすくすることができる。
【００３４】
（ａ）図の状態から（ｂ）図に示すように、回転ローラ１７０が支持レール６１の直線状の傾斜面に移動すると、２つの部材からなる開閉蓋１００の重量は、前記回転ローラ１７０と前記第2の連結部１６０で分散して支持されるので、後は、（ｃ）図、（ｄ）と緩やかな支持レール６１の傾斜面に沿ってスムーズに開放動作を行うことができる。そして、（ｄ）図に示すように、前記したロック状態の開放姿勢をとることができる。
【００３５】
図８の（ａ）図に示すように、この実施の形態によれば、開閉蓋１００を開放した状態では、開閉蓋１００の前端部（自由端）Ｑ１が湾曲しているので、操作パネル２００を備えた前部開閉蓋１１０を操作に良好な大きな傾斜角度Θ１を得つつ広い鉢状の開口部６２の前後の長さＬ１を得ることができる。
これに対し、開閉蓋１００の前端部（自由端）Ｑ１が湾曲していない（ｂ）図、（ｃ）図のものでは、前記２つの効果を同時に得ることができない。例えば、操作に良好な大きな傾斜角度Θ１を得ようとすると、広い鉢状の開口部６２の前後の長さＬ１が小さくなる（Ｌ２）。他方、広い鉢状の開口部６２の前後の長さＬ１を得ようとすると、操作に良好な大きな傾斜角度Θ１が小さくなる（Θ２）。
【００３６】
このように、この実施の形態では、使用者は、取手部１３０を介して第１の連結部１５０を、上方に引きあげることで、開閉蓋１００の重量を前記第２の連結部１６０と前記回転ローラ１７０に分散して支持されるので、使用者に係る負荷を軽減することができる。しかも、前記湾曲した支持レール６１と、これにあった湾曲した前端部（自由端）Ｑ１に回転ローラ１７０を備えた操作パネル付開閉蓋１００とで衣類投入口６０の開閉を行うことにより、開閉動作をスムーズに行うことができるとともに、広い鉢状の開口部６２を得ながら、開放時の操作パネルの操作感を向上させることができる。
【００３７】
また、この実施の形態では、前記前部開閉蓋１１０と前記後部開閉蓋１２０を中空構造としているので、衣類乾燥時に温風で暖められた洗濯槽内の熱が外方に逃げることを軽減することができる。しかも、この中空構造を利用して、操作基板２０１や配線を隠蔽したり、あるいは、部材間にパッキンなどを取り付けるなどして、防水構造を施しやすくすることができる。加えて、洗濯槽内で発生する音が外側に漏れることを軽減する遮音効果が期待できる。なお、前記中空構造内に吸音材や断熱材を設けて前記効果をさら良好にすることができる。
【００３８】
次に、図９を参照して、前記操作パネル２００を説明する。先ず、この実施の形態では、操作パネル２００内を、使用頻度の高い操作ボタンと表示部を集めたメイン操作エリア２１０と、各種の設定を自由に入力操作できる詳細設定エリア２２０と、詳細設定表示エリア２３０とに3分割している。
前記メイン操作エリア２１０は、上部（奥側）のメイン表示部２１１と、下部（手前）のメイン操作部２１２とから構成される。前記メイン操作部２１２は、洗濯から乾燥の機能を選択する洗濯ボタン２１２ａと洗濯乾燥ボタン２１２ｂと乾燥ボタン２１２ｃと、これら選択された機能を運転または一時停止させるスタート／一時停止ボタン２１２ｄと、洗濯槽１０内の乾燥や洗浄を選択するカビブロックボタン２１２ｅと、運転を予約するための予約ボタン２１２ｆとから構成される。一方、前記メイン表示部２１１は、最上部に乾燥容量オーバーや、乾燥フイルターや、高温表示や、ロック状態などを警告する各種警告表示ランプ２１１ａを設け、その下部に、前記カビブロックボタン２１２ｅの選択状況や前記予約時間状況及び残りの運転状況を表示する時間表示部２１１ｂとから構成される。
【００３９】
前記詳細設定エリア２２０は、右側の設定ボタンと左側の時間または回数表示ランプとから構成され、この実施の形態では、洗い時間設定ボタン２２１と、すすぎ回数設定ボタン２２２と、脱水時間設定ボタン２２３と、乾燥時間設定ボタン２２４機能設定ボタンとから構成される。
【００４０】
前記詳細設定表示エリア２３０は、最上部の洗剤量表示ランプ２３１と循環洗浄表示ランプ２３２と高速脱水ランプ２３３と、その下方の各種モード表示ボタン郡２３４と、内蔵された風呂水ポンプの動作を設定または表示する風呂水設定表示ボタン２３５とから構成される。
この実施の形態では、この表示パネル２００を開閉蓋１００に設けることにより、その横幅をＢ５サイズの長辺と同等の大きさに設定することができる。したがって、その操作性や視認性は従来の電気洗濯機の操作パネルと比べ物にならないほど向上させることができる。
【００４１】
次に、この図９と図１を参照して操作方法を説明する。先ず、この実施の形態では、図示しないマイコンが、前記電源スイッチ２５０と開閉蓋ロックスイッチ２５１及び前記操作パネル２００からの操作信号を受け付けて各種の運転モードを実行する。
前記マイコンは、電源がＯＦＦの状態では、図示しない開閉蓋ロック機構を動作させないで、前記開閉蓋１００を開閉可能な状態とする。したがって、使用者は、いつでも開閉蓋１００を開閉して衣類を前記洗濯槽１０内に投入することができる。
前記マイコンは、前記電源スイッチ２５０が操作されると電源をＯＮ状態とし、図示しないメモリに格納された前回使用時の状態を操作パネル２００に表示する。この状態で、スタート／一時停止ボタン２１２ｄを操作すると、前回使用時と同様の運転を行わせる。
【００４２】
一方、前回と違う運転を行いたい場合は、洗濯ボタン２１２ａと洗濯乾燥ボタン２１２ｂと乾燥ボタン２１２ｃのいずれかを選択することができる。この実施の形態では、前記３つのボタンのいずれかが操作されると、マイコンは、前記各種モード表示ボタン郡２３４の「標準」を設定する。この「標準」以外を設定する場合は、前記各種モード表示ボタン郡２３４の中から任意のボタンを操作することで、マイコンは、操作されたボタンを点灯し、そのボタンのモードを設定する。
さらに、詳細設定エリア２２０内の各種モードにおける時間や回数を受け付けることもできる。加えて、前記風呂水設定表示ボタン２３５を操作することで、洗いやすすぎの際にポンプを動作させることもできる。また、カビブロックボタン２１２ｅや予約ボタン２１２ｆの操作を受け付けて、これらの運転を行わせることもできる。
【００４３】
次に、前記マイコンは、前記スタート／一時停止ボタン２１２ｄが操作されると、前記回転槽１１を一時的に動作させて衣類量を計測し、当該衣類量に対応する洗剤量の表示を洗剤量表示ランプ２３１に表示させて、洗剤量の投入と開閉蓋１００の閉鎖を使用者に促す。前記マイコンは、前記スタート／一時停止ボタン２１２ｄが再び操作されると、開閉蓋１００が閉鎖されていることを図示しないセンサーで確認し、閉じられていると、前記開閉蓋ロック機構を動作させて開閉蓋１００をロック状態とする。そして、設定された運転を開始する。
【００４４】
次に、図１から図９で説明した実施の形態では、前記操作パネル２００と取手部１３０を一塊に形成する構造で説明したが、これに限定されるものではない。例えば、図１０から図２３に示すような展開例でも同様な効果を得ることができる。ここで、以後の説明では、実施の形態の外観図面を特徴的な部分（部分意匠）を実線で示し、前記図１と同様な部分については破線で示すこととする。もちろん、破線を実線であらわした全体意匠も新規な形態であることは言うまでもない。ここでは、説明を分かりやすくするために特徴的な部分を区別して示している。
【００４５】
先ず、図１０の第２の実施の形態を説明する。図１０は電気洗濯機の外観図であり、（ａ）図は平面図、（ｂ）図は開閉蓋近傍の要部断面図、（ｃ）図は底面図、（ｄ）図は正面図、（ｆ）図は右側面図、（ｇ）図は背面図、（ｈ）図は操作パネルの拡大図、（ｊ）図は操作パネルの拡大図である。ここで、左側面図は右側面図と対称につき省略している。この他、特に説明をしない部分は図１の実施の形態と同様である。また操作パネルは（ｈ）図でも、（ｊ）図でも採用することができる。
この第２の実施の形態は、前部開閉蓋１１０を特徴部分とするものである。この実施の形態では、手掛凹部１１６ａと手掛部１３１ａを前部開閉蓋１１０の横幅いっぱいまで設けたものである。また、操作パネル２００は、図９と同じ（ｊ）図の操作パネル２００を採用することができるが、（ｈ）図のように、より簡便な操作パネル２００ａも採用することができる。
【００４６】
（ｈ）図の操作パネル２００ａの中央部分には、最上部に状態表示部２６０、中段には、洗濯ボタン２１２ａと洗濯乾燥ボタン２１２ｂと乾燥ボタン２１２ｃとを横一に配列し、下段にはスタート／一時停止ボタン２１２ｄを配列している。また、右側には、洗い時間設定ボタン２２１とすすぎ回数設定ボタン２２２と脱水時間設定ボタン２２３と乾燥時間設定ボタン２２４を縦一列に配置し、左側には風呂水設定表示ボタン２３５とモード設定ボタン２６１が配置される。この操作パネル２００ａはシート状のスイッチで構成する。
【００４７】
次に、図１１の第３の実施の形態を説明する。図１１は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
【００４８】
この第３の実施の形態は、前部開閉蓋１１０に設けた前記手掛凹部１１６ａと前記手掛部１３１ａと操作パネル２００ｂを特徴部分とするものである。この実施の形態では、前記手掛凹部１１６ａと前記手掛部１３１ａと操作パネル２００ｂを前部開閉蓋１１０の横幅いっぱいまで設けている。前記操作パネル２００ｂは、横長矩形状の状態表示部２６０と、その下方に配置されるスイッチ郡２６２から構成される。スイッチ郡２６２は、１個のスタート／一時停止ボタンと、３個の洗濯／洗濯乾燥／乾燥の選択ボタンと複数の設定ボタンとから構成される。
【００４９】
次に、図１２の第４の実施の形態を説明する。図１２は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第４の実施の形態は、前部開閉蓋１１０に設けた手掛凹部１１６ｂを備えた平板部１１７と操作パネル２００ｂを特徴部分とするものである。この実施の形態では、前記手掛凹部１１６ｂを三日月形状とし、これを備えた平板部１１７と操作パネル２００ｂを前部開閉蓋１１０の横幅いっぱいまで設けている。
【００５０】
次に、図１３の第５の実施の形態を説明する。図１３は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第５の実施の形態は、前部開閉蓋１１０に設けた手掛凹部１１６ｃと操作パネル２００ａを特徴部分とするものである。この実施の形態では、前記操作パネル２００ａの前部に、この操作パネル２００ａと同じ横幅を持つ前記手掛凹部１１６ｃを連続して設けている。
【００５１】
次に、図１４の第６の実施の形態を説明する。図１４は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第６の実施の形態は、前部開閉蓋１１０を特徴部分とするものである。この実施の形態では、前記操作パネル２００ａの前部に、この操作パネル２００ａと同じ横幅を持つ前記手掛凹部１１６ｄを独立して設けている。
【００５２】
次に、図１５の第７の実施の形態を説明する。図１５は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第７の実施の形態は、前部開閉蓋１１０に設けた前記手掛凹部１１６ａと前記手掛部１３１ａと操作パネル２００ｂを特徴部分とするものである。この実施の形態では、第１の連結部に近接して設けた操作パネル２００ｂと、その前部の前記手掛凹部１１６ａと前記手掛部１３１ａとを前部開閉蓋１１０の横幅いっぱいまで設けている。
【００５３】
次に、図１６の第８の実施の形態を説明する。図１６は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第８の実施の形態は、前部開閉蓋１１０を特徴部分とするものである。この実施の形態では、第１の連結部１５０の近傍に操作パネル２００ｂを設け、この前部に三日月形状の前記手掛凹部１１６ｂを独立して設けたものである。
【００５４】
次に、図１７の第９の実施の形態を説明する。図１７は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第９の実施の形態は、前部開閉蓋１１０に設けた手掛凹部１１６ｂを備えた平板部１１７と操作パネル２００ｂを特徴部分とするものである。この実施の形態では、前記手掛凹部１１６ｂを第１の連結部１５０に近接して形成し、これを備えた平板部１１７と操作パネル２００ｂを前部開閉蓋１１０の横幅いっぱいまで設けている。
【００５５】
次に、図１８の第１０の実施の形態を説明する。図１８は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第１０の実施の形態は、前部開閉蓋１１０のほぼ中央に配置した操作パネル２００ａと、その上辺に近接して設けた同じ横幅を持つ手掛凹部１１６ｃとを特徴部分とするものである。
【００５６】
次に、図１９の第１１の実施の形態を説明する。図１９は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第１１の実施の形態は、前部開閉蓋１１０のほぼ中央に配置した操作パネル２００ａと、その下辺に近接して設けた同じ横幅を持つ手掛凹部１１６ｃとを特徴部分とするものである。
【００５７】
次に、図２０の第１２の実施の形態を説明する。図２０は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第１２の実施の形態は、前部開閉蓋１１０のほぼ中央から前端部にかけて形成した操作パネル２００ａと、その上辺に近接して設けた同じ横幅を持つ手掛凹部１１６ｃとを特徴部分とするものである。
【００５８】
次に、図２１の第１３の実施の形態を説明する。図２１は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第１３の実施の形態は、前部開閉蓋１１０のほぼ中央から前端部にかけて形成した操作パネル２００ａと、その上辺に近接して設けた同じ横幅を持つ手掛凹部１１６ｃとを特徴部分とするものである。この操作パネル２００ａと手掛凹部１１６ｃは前後に連続して形成され、前部開閉蓋１１０を左右に分割するように形成される。
【００５９】
次に、図２２の第１４の実施の形態を説明する。図２２は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第１４の実施の形態は、前部開閉蓋１１０を特徴部分とするものである。この前部開閉蓋１１０の前部には状態表示部２６０とスイッチ郡２６２が配列され、第１の連結部１５０には手掛凹部１１６ｃが配置される。
【００６０】
次に、図２３の第１５の実施の形態を説明する。図２３は電気洗濯機の外観図であり、（ａ）図は平面図、（ｂ）図は正面図、（ｃ）図は右側面図、（ｄ）図は開閉蓋近傍の要部断面図である。ここで、他の図は図１０図と同様につき省略している。
この第１５の実施の形態は、前部開閉蓋１１０に設けた操作パネル２００ａと手掛凹部１１６ｃを備えた手掛部１３１ｂと、後部開閉蓋１２０に設けたのぞき窓１８０とを特徴部分とするものである。前記操作パネル２００ａとのぞき窓１８０、及びその間に設けられる前記手掛部１３１ｂとを前後に連続する縦長形状としている。
【００６１】
次に、前記実施の形態では、前記中間筐体５０の強度を増すために凹凸模様５２を施している。この凹凸模様は、図１に示すように、前記中間筐体５０の両側面の中央に縦長帯状の凹部を２列形成し、この凹部は上下端部が徐々に周囲の平面部分と馴染むように傾斜面で形成される。しかし、この形状に限定されるものではない。例えば、図２４から図２６の形状でも強度を維持しつつ意匠的にも良好とすることができる。
【００６２】
図２４から図２６は、図１の実施の形態と同様な電気洗濯機の左右側面図と凹凸模様５２の断面図を示している。ここで、以後の説明では、実施の形態の外観図面を特徴的な部分（部分意匠）を一点破線で示し、この一点破線内の特徴部分を実線で示し、前記図１と同様な部分については破線で示すこととする。もちろん、破線を実線であらわした全体意匠も新規な形態であることは言うまでもない。ここでは、説明を分かりやすくするために特徴的な部分を区別して示している。図２４から図２６の各図は、（ａ）図が左側面図、（ｂ）図が右側面図、（ｃ）図が（ｂ）図に示す矢印部分の部分断面図である。
【００６３】
先ず、図２４の実施の形態では、両側面の後方部分に２列の縦長凹部５３を形成している。この縦長凹部５３は周囲に傾斜面を設けることで、側面からみて２重の隅丸縦長形状としている。これにより、この中間筐体５０の前側に広い平面領域を維持して意匠性を高めつつ、後側に２列の縦長凹部５３を形成することで強度を維持することができる。
【００６４】
また、この実施の形態では、搬送時の作業性を高めるために、取っ手５４を左右互い違いに形成している。また、この取っ手５４は、前記縦長凹部５３内に収めるように形成することで、組み立て性を向上させている。なお、この実施の形態では、一方の側面の前後に前記取っ手５４を互い違いに設けることができる。これら、主筐体１０の大きさにより設けることができる。
【００６５】
次に、図２５の実施の形態は、２列の縦長凹部５３の上部を緩やかな傾斜面で他の筐体面と合わすような形状としている。このため、側面から見て、上方が開放した縦長Ｕ字状の形態としている。他方、図２６の実施の形態は、２列の縦長凹部５３の下部を緩やかな傾斜面で他の筐体面と合わすような形状としている。このため、側面から見て、下方が開放した縦長逆Ｕ字状の形態としている。
【産業上の利用可能性】
【００６６】
本発明は、衣類の洗浄や乾燥を行う分野に利用できる。
【図面の簡単な説明】
【００６７】
【図１】第１の実施の形態に係る衣類乾燥洗濯機の外観斜視図である。
【図２】第１の実施の形態に係る衣類乾燥洗濯機の概略構造を示す縦断面図である。
【図３】第１の実施の形態に係る衣類乾燥洗濯機の外観図である。
【図４】第１の実施の形態に係る衣類乾燥洗濯機の開閉蓋を開放した状態の外観図である。
【図５】第１の実施の形態に係る衣類乾燥洗濯機の開閉蓋の部品展開図である。
【図６】第１の実施の形態に係る衣類乾燥洗濯機の開閉蓋の動作説明図である。
【図７】第１の実施の形態に係る衣類乾燥洗濯機の開閉蓋の動作説明図である。
【図８】第１の実施の形態に係る衣類乾燥洗濯機の開閉蓋の動作説明図である。
【図９】第１の実施の形態に係る衣類乾燥洗濯機の操作パネルの拡大図である。
【図１０】第２の実施の形態に係る電気洗濯機の外観図である。
【図１１】第３の実施の形態に係る電気洗濯機の外観図である。
【図１２】第４の実施の形態に係る電気洗濯機の外観図である。
【図１３】第５の実施の形態に係る電気洗濯機の外観図である。
【図１４】第６の実施の形態に係る電気洗濯機の外観図である。
【図１５】第７の実施の形態に係る電気洗濯機の外観図である。
【図１６】第８の実施の形態に係る電気洗濯機の外観図である。
【図１７】第９の実施の形態に係る電気洗濯機の外観図である。
【図１８】第１０の実施の形態に係る電気洗濯機の外観図である。
【図１９】第１１の実施の形態に係る電気洗濯機の外観図である。
【図２０】第１２の実施の形態に係る電気洗濯機の外観図である。
【図２１】第１３の実施の形態に係る電気洗濯機の外観図である。
【図２２】第１４の実施の形態に係る電気洗濯機の外観図である。
【図２３】第１５の実施の形態に係る電気洗濯機の外観図である。
【図２４】他の実施の形態に係る電気洗濯機の外観図である。
【図２５】他の実施の形態に係る電気洗濯機の外観図である。
【図２６】他の実施の形態に係る電気洗濯機の外観図である。
【符号の説明】
【００６８】
１…衣類乾燥洗濯機、１０…洗濯槽、１１…回転槽、１２…パルセータ、１３…駆動モータ、１４…乾燥ユニット、１５…つり棒、１６…第2の開閉蓋、１７…給水装置配置空間、２０…主筐体、３０…上カバー、３１…ベースカバー、３２…サイド上カバー、３３…バック上カバー、３４…水道蛇口取付部、３５…風呂水給水取付部、３６…給水取付面、４０…下カバー、４１…高さ調整脚、５０…中間筐体、５１…前パネル、５２…凹凸模様、６０…衣類投入口、６１…支持レール、６２…鉢状の開口部、６３…洗剤投入口、６４…柔軟材投入口、６５…凹部、１００…開閉蓋、１１０…前部開閉蓋、１１１…前部上カバー、１１２…前部下カバー、１１３…操作シート、１１４…操作基板、１１５…開口部、１１６…手掛凹部、１２０…後部開閉蓋、１２１…後部上カバー、１２２…後部下カバー、１３０…取手部、１３１…手掛部、１５０…第１の連結部、１５１…回転軸部材、１５２…第１回転軸支持部、１５３…第２回転軸支持部、１５４…回転軸収納部、１６０…第２の連結部、１６１…回転軸部、１６２…軸受部、１７０…回転ローラ、２００…操作パネル、２０１…操作基板、２１０…メイン操作エリア、２１１…メイン表示部、２１１ａ…各種警告表示ランプ、２１１ｂ…時間表示部、２１２…メイン操作部、２１２ａ…洗濯ボタン、２１２ｂ…洗濯乾燥ボタン、２１２ｃ…乾燥ボタン、２１２ｄ…スタート／一時停止ボタン、２１２ｅ…カビブロックボタン、２１２ｆ…予約ボタン、２２０…詳細設定エリア、２２１…洗い時間設定ボタン、２２２…すすぎ回数設定ボタン、２２３…脱水時間設定ボタン、２２４…乾燥時間設定ボタン、２３０…詳細設定表示エリア、２３１…洗剤量表示ランプ、２３２…循環洗浄表示ランプ、２３３…高速脱水ランプ、２３４…各種モード表示ボタン郡、２３５…風呂水設定表示ボタン、２５０…電源スイッチ、２５１…開閉蓋ロックスイッチ、２５２…凹状の溝、Ｑ１…前端部（自由端）、Ｑ２…後端部。
【図１】
2005192887.tif 000003
【図２】
2005192887.tif 000004
【図３】
2005192887.tif 000005
【図４】
2005192887.tif 000006
【図５】
2005192887.tif 000007
【図６】
2005192887.tif 000008
【図７】
2005192887.tif 000009
【図８】
2005192887.tif 000010
【図９】
2005192887.tif 000011
【図１０】
2005192887.tif 000012
【図１１】
2005192887.tif 000013
【図１２】
2005192887.tif 000014
【図１３】
2005192887.tif 000015
【図１４】
2005192887.tif 000016
【図１５】
2005192887.tif 000017
【図１６】
2005192887.tif 000018
【図１７】
2005192887.tif 000019
【図１８】
2005192887.tif 000020
【図１９】
2005192887.tif 000021
【図２０】
2005192887.tif 000022
【図２１】
2005192887.tif 000023
【図２２】
2005192887.tif 000024
【図２３】
2005192887.tif 000025
【図２４】
2005192887.tif 000026
【図２５】
2005192887.tif 000027
【図２６】
2005192887.tif 000028